(57)【要約】【課題】  ランプを備えた照明器具本体と、ランプを覆う照明カバーとを有する照明装置であって、照明カバーの側面部における所望の位置からの明るさを変えることが可能であって、壁等に設置した場合に照明装置の直下位置等の所望位置を、より明るくしたい場合にすぐ対応することができる照明装置を提供する。【解決手段】  ランプ３を備えた照明器具本体２と、ランプ３を覆う照明カバー２とを有する照明装置１において、照明カバー２の側面部５が略円筒状であって透光性を有すると共に、その外周に一部切欠きを有する略円筒の形状をしている反射輪７であって、照明カバー２の側面部５の外周に着脱自在であり、かつ、照明カバー２の側面部５の外周に取付ける際に、照明カバー２の側面部５の外面に摺接しながら回動可能である反射輪を備えていることを特徴とする照明装置。【選択図】図１
2005310504.tif 000002
【特許請求の範囲】
【請求項１】
ランプを備えた照明器具本体と、ランプを覆う照明カバーとを有する照明装置において、照明カバーの側面部が略円筒状であって透光性を有すると共に、その外周に一部切欠きを有する略円筒の形状をしている反射輪であって、前記照明カバーの側面部の外周に着脱自在であり、かつ、前記照明カバーの側面部の外周に取付ける際に、前記照明カバーの側面部の外面に摺接しながら回動可能である反射輪を備えていることを特徴とする照明装置。
【請求項２】
照明カバーの側面部が透明であることを特徴とする請求項１記載の照明装置。
【発明の詳細な説明】
【技術分野】
【０００１】
本発明は、浴室内の壁等に設置され、ランプを備えた照明器具本体と、ランプを覆う照明カバーとを有する照明装置に関し、詳しくは、照明カバー側面部の所望の位置からの明るさを、より明るくすることが可能となる照明装置に関する。
【背景技術】
【０００２】
従来、浴室内の壁等に設置される照明装置として、ランプを備えた照明器具本体と、ランプを覆う照明カバーとを有する照明装置が知られている（特許文献１参照）。このような照明装置１は、図２に示すように、透光性のある照明カバー２、白熱灯等のランプ３及び照明器具本体４で構成されている。そして、照明カバー２は、半透明であって、乳白色としているのが一般的である。このような照明装置１では、照明カバー２の側面部からは全周に渡って略均等に光を放射するため、例えば、浴室内の壁に設置した場合には、浴室内の天井側も、床パン側も略同じ明るさに照らすことになる。
【０００３】
そして、従来の照明装置１では、壁面に設置されている照明装置１の直下位置等を、より明るくしたいと考えても、照明カバー２の側面部における所望の位置からの明るさを変えることが困難であった。そのため、照明カバー２の側面部の任意位置からの明るさを変えることが可能であって、浴室内の壁に設置した場合に照明装置１の直下位置等を、より明るくしたい場合にすぐ対応できる照明装置が求められていた。
【特許文献１】実開平５−８１９０７号公報
【発明の開示】
【発明が解決しようとする課題】
【０００４】
本発明は、上記背景技術に鑑みて発明されたものであり、その課題は、ランプを備えた照明器具本体と、ランプを覆う照明カバーとを有する照明装置であって、照明カバーの側面部の任意位置からの明るさを変えることが可能であって、壁に設置した場合に照明装置の直下位置等の所望位置を、より明るくしたい場合にすぐ対応することができる照明装置を提供することにある。
【課題を解決するための手段】
【０００５】
上記課題を解決するために、請求項１に係る発明は、ランプを備えた照明器具本体と、ランプを覆う照明カバーとを有する照明装置において、照明カバーの側面部が略円筒状であって透光性を有すると共に、その外周に一部切欠きを有する略円筒の形状をしている反射輪であって、前記照明カバーの側面部の外周に着脱自在であり、かつ、前記照明カバーの側面部の外周に取付ける際に、前記照明カバーの側面部の外面に摺接しながら回動可能である反射輪を備えていることを特徴としている。その外周に一部切欠きを有する略円筒の形状をしている反射輪を照明カバーの側面部の外周に取付けることによって、反射輪の切欠きに対応する位置にある照明カバーの側面部からの明るさを、反射輪を取付けない場合に比べて明るくすることが可能となる。なお、反射輪の切欠きは、反射輪を照明カバーの側面部の外面に摺接させながら回動させることにより、照明カバーの側面部の任意の位置に配置することが可能である。
【０００６】
請求項２に係る発明は、請求項１記載の照明装置において、照明カバーの側面部が透明であることを特徴としている。このようにすることによって、反射輪を照明カバーの側面部の外周に取付けた場合に、反射輪の切欠きに対応する位置にある照明カバーの側面部からの明るさをより明るくすることが可能となる。
【発明の効果】
【０００７】
本発明の照明装置は、照明カバーの側面部が略円筒状であって透光性を有すると共に、その外周に一部切欠きを有する略円筒の形状をしている反射輪であって、前記照明カバーの側面部の外周に着脱自在であり、かつ、前記照明カバーの側面部の外周に取付ける際に、前記照明カバーの側面部の外面に摺接しながら回動可能である反射輪を備えている。そのために、本発明の照明装置では、その外周に一部切欠きを有する略円筒の形状をしている反射輪を照明カバーの側面部の外周に取付けることによって、反射輪の切欠きに対応する位置にある照明カバーの側面部からの明るさを、反射輪を取付けない場合に比べて明るくすることが可能となる。従って、本発明の照明装置は、壁に設置した場合に照明カバーの側面部からの光で照らされる場所である例えば照明装置の直下位置等の所望位置を、より明るくしたい場合にすぐ対応することができる照明装置となる。すなわち、本発明の照明装置は、照明カバーの側面部の任意の位置からより明るい照明効果（照度）を容易に得ることが可能な照明装置となる。
【発明を実施するための最良の形態】
【０００８】
以下、本発明の好ましい実施の形態について説明する。
【０００９】
図１は、本発明の照明装置の一実施形態を示している。この実施形態の照明装置１は、図１に示すように、照明カバー２、ランプ３、照明器具本体４及び反射輪７で構成されている。照明カバー２は、例えばアクリル等のプラスチックで形成することができるが、ガラス製とすることもできる。照明カバー２の正面部６は、半透明であって、乳白色としている。照明カバー２の側面部５も、半透明であって、乳白色としているが、透明とすることも可能である。照明器具本体４は、例えば浴室の壁等に固定される。そして、照明器具本体４には、白熱灯等のランプ３が装着され、さらに、このランプ３を覆うように照明カバー２が装着される。
【００１０】
図１に示す照明装置１の照明カバー２は、その側面部５を円筒状に形成している。なお、この側面部５は、略円筒状であればよく、例えば、側面部５の外面の形状が先細りや末広がりの形状となっていてもよい。そして、この照明装置１は、その外周に一部切欠きを有する略円筒の形状をしている反射輪７であって、照明カバー２の側面部５の外周に着脱自在であり、かつ、照明カバー２の側面部５の外周に取付ける際に、照明カバー２の側面部５の外面に摺接しながら回動可能である反射輪７を備えている。反射輪７は、図１に示すように、切欠きのあるリング状をしていて、その内面形状は、照明カバー２の側面部５の外面形状に対応させている。ここでいう切欠きとは、欠落部があることを表している。反射輪７は、照明カバー２の側面部５から放射された光を内側に向け反射して、反射輪７の切欠きに対応する位置にある照明カバー２の側面部５から外部に放射させる働きをする。そのため、反射輪７を照明カバー２の側面部５の外周に取付けることによって、反射輪７の切欠きに対応する位置にある照明カバー２の側面部５からの明るさを、反射輪７を取付けない場合に比べて明るくすることが可能となる。なお、照明カバー２の側面部５が透明であると、半透明の場合に比べて、反射輪７の切欠きに対応する位置にある照明カバー２の側面部５からの明るさをより明るくできる。
【００１１】
反射輪７は、例えば金属材料やプラスチック材料等で形成することができるが、反射輪７の外面は化粧面とし、内面は反射面とする。反射輪７の内面は、反射性能の高い材質を選択して使用したり、表面処理を施したりすると、反射輪７の切欠きに対応する位置にある照明カバー２の側面部５からの明るさを増すことができるので好ましい。
【００１２】
また、この照明装置１では、図１に示すように、反射輪７に固定ねじ８を取付け、この固定ねじ８を、照明カバー２の側面部５に形成したねじ孔９にねじ込むことにより、反射輪７を照明カバー２の側面部５に固定するようにしている。ねじ孔９を照明カバー２の側面部５の複数箇所に設けることにより、反射輪７を固定する位置を所望位置にすることが可能である。反射輪７の固定位置によって、反射輪７の切欠きの位置も定まるので、ねじ孔９を複数箇所に設けると、照明カバー２の側面部５からの明るさを増すことができる位置を所望の位置とすることが容易にできるようになる。なお、固定ねじ８方式ではなく、可撓性のある材料で反射輪７を形成し、反射輪７の形状回復力で照明カバー２の側面部５を挟みこむ方式にすれば、固定ねじ８を取付けることなく、反射輪７を照明カバー２の側面部５の所望位置に固定することが可能である。
【００１３】
以上説明したように、この実施形態の照明装置１は、照明カバー２の側面部５が円筒状であって透光性を有すると共に、その外周に一部切欠きを有する略円筒の形状をしている反射輪７であって、照明カバー２の側面部５の外周に着脱自在であり、かつ、照明カバー２の側面部５の外周に取付ける際に、照明カバー２の側面部５の外面に摺接しながら回動可能である反射輪７を備えている。そのために、この実施形態の照明装置１では、反射輪７を照明カバー２の側面部５の外周に取付けることによって、反射輪７の切欠きに対応する位置にある照明カバー２の側面部５からの明るさを、反射輪７を取付けない場合に比べて、明るくすることが可能となる。従って、この実施形態の照明装置１は、壁に設置した場合に照明カバー２の側面部５からの光で照らされる場所である例えば照明装置１の直下位置等の所望位置を、より明るくしたい場合にすぐ対応することができる照明装置１となる。また、照明カバー２の側面部５が透明であると、反射輪７を照明カバー２の側面部５の外周に取付けた場合に、反射輪７の切欠きに対応する位置にある照明カバー２の側面部５からの明るさをより明るくすることが可能となる。
【図面の簡単な説明】
【００１４】
【図１】本発明の一実施形態を示す、分解斜視図である。
【図２】従来の照明装置の一例を示す分解斜視図である。
【符号の説明】
【００１５】
１  照明装置
２  照明カバー
３  ランプ
４  照明器具本体
５  側面部
６  正面部
７  反射輪
８  ねじ
９  ねじ孔
【図１】
2005310504.tif 000003
【図２】
2005310504.tif 000004